(57)【要約】【課題】同じ規格で製造された定電流回路を搭載したＩＣチップであって、製造後、電流値を容易に変更することができる。【解決手段】定電流回路１を流れる電流値を選択するための複数の電流値切替え用端子４１，４２，４３と、これらの電流値切替え用端子４１，４２，４３のいずれかと接続するための共通端子５とが設けられ、前記電流値切替え用端子４１，４２，４３のいずれかと、前記共通端子５とがボンディングワイヤ６で接続されている。【選択図】　　　　図２
2004013359.tif 000002
【特許請求の範囲】
【請求項１】
定電流回路を搭載したＩＣチップにおいて、
定電流回路を流れる電流値を選択するための複数の電流値切替え用端子と、
これらの電流値切替え用端子のいずれかと接続するための共通端子とが設けられ、
前記電流値切替え用端子のいずれかと、前記共通端子とが接続されていることを特徴とするＩＣチップ。
【請求項２】
前記電流値切替え用端子のいずれかと前記共通端子との接続は、ワイヤーにより、固定的になされている請求項１記載のＩＣチップ。
【請求項３】
前記電流値切替え用端子のいずれかと前記共通端子との接続は、スイッチにより、切替え可能になされる請求項１記載のＩＣチップ。
【発明の詳細な説明】
【０００１】
【発明の属する技術分野】
本発明は、定電流回路を搭載したＩＣチップに関するものである。
【０００２】
【従来の技術】
定電流回路には、カレントミラー回路を使用したものがある。
図５は、カレントミラー回路の回路図である。トランジスタＱ１，Ｑ２は、ベース同士、エミッタ同士が接続され、トランジスタＱ１のコレクタ・ベース間は短絡されている。トランジスタＱ１のコレクタ・ベース接点ａと電源Ｖｃｃとの間には抵抗Ｒ１が挿入されている。
【０００３】
この構成により、電源Ｖｃｃから抵抗Ｒ１を通って、トランジスタＱ１のコレクタ・ベース接点ａに流れ込む電流Ｉ１と、トランジスタＱ２のコレクタに流れる負荷電流Ｉ２とをほぼ等しくでき、定電流回路を実現することができる。
この定電流回路をＩＣチップの内部回路に用いて、ＩＣチップ内の他の回路（例えばレーザ発振器、増幅回路）に電流を供給することができる。
その電流値は、抵抗Ｒ１の抵抗値を選定することにより、所望の値に設定することができる。
【０００４】
【発明が解決しようとする課題】
ところが、前記定電流回路では、供給する電流に応じて、抵抗Ｒ１の抵抗値を変更する必要が生じる。このためには、ＩＣチップの製造プロセスにおいて、その抵抗値にあわせるように定電流回路の製造条件を変更して、ＩＣチップを製造しなければならない。
このため、電流値が複数種類あれば、それだけ製造プロセスの数も増え、製造コスト増に結びつくという難点があった。
【０００５】
そこで、本発明は、同じ製造プロセスで製造された定電流回路を搭載したＩＣチップであって、製造後、電流値を容易に変更することのできるものを実現することを目的とする。
【０００６】
【課題を解決するための手段及び発明の効果】
本発明によれば、ＩＣチップに、定電流回路を流れる電流値を選択するための複数の電流値切替え用端子と、これらの電流値切替え用端子のいずれかと接続するための共通端子とが設けられ、前記電流値切替え用端子のいずれかと、前記共通端子とが接続されている。
この構成によれば、ＩＣチップの製造後、電流値切替え用端子のいずれかを選択して、それを共通端子と接続すれば、電流値を選択することができる。
【０００７】
したがって、ＩＣチップ内の定電流回路としては、同じものを製造すればよいので、ＩＣチップの製造コストの増加を抑えることができる。
前記電流値切替え用端子のいずれかと前記共通端子との接続は、製造後、ボンディングワイヤにより固定的に行ってもよく、スイッチを設けて、切替え可能に行ってもよい。
【０００８】
【発明の実施の形態】
以下、本発明の実施の形態を、添付図面を参照しながら詳細に説明する。
図１は、ＩＣチップに搭載されるカレントミラー回路１の回路図である。トランジスタＱ１，Ｑ２は、ベース同士、エミッタ同士が接続され、トランジスタＱ１のコレクタ・ベース間は短絡されている。これにより、トランジスタＱ１のコレクタ・ベース接点ａに流れ込む電流Ｉ１と、トランジスタＱ２のコレクタに流れる負荷電流Ｉ２とがほぼ等しい定電流回路を構成することができる。
【０００９】
トランジスタＱ１のコレクタ・ベース接点ａと電源Ｖｃｃとの間には、抵抗値の異なる複数の抵抗Ｒ１１，Ｒ１２，Ｒ１３が並列につながれていて、これらのうちいずれか１つの抵抗が電源Ｖｃｃに、破線で示した接続部２において接続されるようになっている。
抵抗値を選択することで、電流Ｉ１、したがって負荷電流Ｉ２を所望の量に設定することができる。
【００１０】
接続部２における抵抗値の選択方法を、図２〜図４を用いて説明する。
図２は、定電流回路を搭載したＩＣチップ３の斜視図である。ＩＣチップ３の表面には、複数のＩＣパッド４が設けられている。それらの中に、抵抗Ｒ１１，Ｒ１２，Ｒ１３にそれぞれつながった３つの電流値切替え用ＩＣパッド４１，４２，４３が含まれている。特定のパッケージリードピン（これが共通端子となる）５と、３つのＩＣパッド４１，４２，４３のいずれかを、ボンディングワイヤ６でロウ付けして固定的に接続することによって、トランジスタＱ１のコレクタ・ベース接点ａと電源Ｖｃｃとの間の抵抗値を選択的に設定することができる。
【００１１】
図３は、ＩＣチップ３の表面に、抵抗Ｒ１１，Ｒ１２，Ｒ１３にそれぞれつながる３つの電流値切替え用ＩＣパッド４１，４２，４３と、共通ＩＣパッド４４とを設けたＩＣチップ３の斜視図である。いずれかのＩＣパッド４１，４２，４３と共通ＩＣパッド４４との間は、ボンディングワイヤ６で固定的に接続される。共通ＩＣパッド４４とパッケージリードピン５との間も、ボンディングワイヤ７で固定的に接続されている。この構成によって、トランジスタＱ１のコレクタ・ベース接点ａと電源Ｖｃｃとの間の抵抗値を選択的に設定することができる。
【００１２】
図４は、ＩＣチップ３の表面に、直列に接続された抵抗Ｒ１４，Ｒ１５，Ｒ１６につながる４つの電流値切替え用ＩＣパッド４０〜４３と、いずれかのＩＣパッド４０〜４３と接続するための共通ＩＣパッド４４とを設けたＩＣチップ３の斜視図である。この構成では、抵抗Ｒ１５，Ｒ１６，Ｒ１７が直列に接続されている点で図２、図３の回路と相違があるが、この構成においても、接続するＩＣパッド４０〜４３を選択することにより、トランジスタＱ１のコレクタ・ベース接点ａと電源Ｖｃｃとの間の抵抗値を設定することができる。
【００１３】
以上で、本発明の実施の形態を説明したが、本発明の実施は、前記の形態に限定されるものではない。例えば、ＩＣチップ３に、電流値切替え用端子と、共通端子との切替え接続を行うディップスイッチを設け、このディップスイッチの操作によって電流値切替えるようにした構成も採用できる。その他、本発明の範囲内において、種々の変更を施すことができる。
【図面の簡単な説明】
【図１】本発明の定電流回路の回路図である。
【図２】ＩＣチップ３の表面に、抵抗Ｒ１１，Ｒ１２，Ｒ１３にそれぞれつながる３つの電流値切替え用ＩＣパッド４１，４２，４３と、共通のパッケージリードピン５とを設けたＩＣチップ３の斜視図である。
【図３】ＩＣチップ３の表面に、抵抗Ｒ１１，Ｒ１２，Ｒ１３にそれぞれつながる３つのＩＣパッド４１，４２，４３と、共通のＩＣパッド４４とを設けたＩＣチップ３の斜視図である。
【図４】ＩＣチップ３の表面に、直列に接続された抵抗Ｒ１４，Ｒ１５，Ｒ１６にそれぞれつながる４つのＩＣパッド４０〜４３と、いずれかのＩＣパッド４０〜４３と接続するための共通ＩＣパッド４４とを設けたＩＣチップ３の斜視図である。
【図５】カレントミラー回路の回路図である。
【符号の説明】
１　カレントミラー回路
２　接続部
３　ＩＣチップ
４　ＩＣパッド
５　パッケージリードピン
６，７　ボンディングワイヤ
４０〜４３　電流値切替え用ＩＣパッド
４４　共通ＩＣパッド
【図１】
2004013359.tif 000003
【図２】
2004013359.tif 000004
【図３】
2004013359.tif 000005
【図４】
2004013359.tif 000006
【図５】
2004013359.tif 000007